(57)【特許請求の範囲】
【請求項１】
（ａ）第１カード（２０１）が装填されたカード用アダプタ（１０１）又は第２カード（３０１）を収容するハウジング（１１）と、
（ｂ）該ハウジング（１１）に取付けられ、前記カード用アダプタ（１０１）又は第２カード（３０１）のコンタクトパッド（１３６）と接触する端子（５１）と、
（ｃ）前記カード用アダプタ（１０１）又は第２カード（３０１）を挿入方向と反対の方向に付勢する付勢部材（８１）を備え、
プッシュ動作によって挿入方向に押込まれた前記カード用アダプタ（１０１）又は第２カード（３０１）をロック位置で保持するとともに、
該ロック位置から更に挿入方向に押込むプッシュ動作によって前記カード用アダプタ（１０１）又は第２カード（３０１）が終端点まで到達すると、前記付勢部材（８１）の付勢力によって前記カード用アダプタ（１０１）又は第２カード（３０１）を終端点から挿入方向と反対の方向に移動させて排出するカード案内機構と、
（ｄ）ロック位置で保持された第２カード（３０１）の挿入方向前端（３０１ａ）よりも挿入方向側に配設された第１接点部材（５２）及び第２接点部材（５３）によって形成され、前記カード用アダプタ（１０１）と第２カード（３０１）とを識別する識別スイッチとを有し、
（ｅ）前記カード用アダプタ（１０１）は、挿入方向前端（１０１ａ）から前方に延出する前方突起（１０３）を備え、
（ｆ）前記第１接点部材（５２）は、前記カード用アダプタ（１０１）の前方突起（１０３）に当接すると、カード用アダプタ（１０１）の厚さ方向に変位させられ、第２接点部材（５３）と接触することを特徴とするカード用コネクタ（１）。
【請求項２】
前記第１接点部材（５２）及び第２接点部材（５３）は、ばね性を備えた導電性材料から成る板材で形成され、前記挿入方向と交差する方向に向けて延在する腕部（５２ｂ、５３ｂ）と、該腕部（５２ｂ、５３ｂ）の自由端に接続された当接部（５２ｃ、５３ｃ）とを備え、
前記第１接点部材（５２）の当接部（５２ｃ）は、前記カード用アダプタ（１０１）の前方突起（１０３）に当接すると、第２接点部材（５３）の当接部（５３ｃ）に接触する請求項１に記載のカード用コネクタ（１）。
【請求項３】
前記ハウジング（１１）は、前記カード用アダプタ（１０１）の前方突起（１０３）が進入する前方突起収容部（１３）を前記挿入方向の最奥部に備え、
前記第１接点部材（５２）及び第２接点部材（５３）の当接部（５２ｃ、５３ｃ）は、前記前方突起収容部（１３）内に配設される請求項２に記載のカード用コネクタ（１）。
【請求項４】
前記カード用アダプタ（１０１）の前方突起（１０３）は、前記カード用アダプタ（１０１）が前記ロック位置に位置する場合及び該ロック位置よりも更に挿入方向に位置する場合に、前記第１接点部材（５２）の当接部（５２ｃ）に当接する請求項２又は３に記載のカード用コネクタ（１）。
【請求項５】
前記第１接点部材（５２）の腕部（５２ｂ）と第２接点部材（５３）の腕部（５３ｂ）とは同一方向に向けて延出する請求項２〜４のいずれか１項に記載のカード用コネクタ（１）。
【請求項６】
前記第１接点部材（５２）の腕部（５２ｂ）と第２接点部材（５３）の腕部（５３ｂ）とは互いに反対方向に向けて延出する請求項２〜４のいずれか１項に記載のカード用コネクタ（１）。
【発明の詳細な説明】
【技術分野】
【０００１】
本発明は、カード用コネクタに関するものである。
【背景技術】
【０００２】
従来、パーソナルコンピュータ、携帯電話機、ＰＤＡ（Ｐｅｒｓｏｎａｌ  Ｄｉｇｉｔａｌ  Ａｓｓｉｓｔａｎｔ）、デジタルカメラ、ビデオカメラ、音楽プレーヤ、ゲーム機、車両用ナビゲーション装置等の電子機器においては、ＳＩＭ（Ｓｕｂｓｃｒｉｂｅｒ  Ｉｄｅｎｔｉｔｙ  Ｍｏｄｕｌｅ）カード、ＭＭＣ（Ｒ）（Ｍｕｌｔｉ  Ｍｅｄｉａ  Ｃａｒｄ）、ＳＤ（Ｒ）（Ｓｅｃｕｒｅ  Ｄｉｇｉｔａｌ）カード、ｍｉｎｉＳＤ（Ｒ）カード、ｘＤピクチャーカード（Ｒ）（ｘＤ−Ｐｉｃｔｕｒｅ  ｃａｒｄ）、メモリスティック（Ｒ）、メモリスティックＤｕｏ（Ｒ）、スマートメディア（Ｒ）、Ｔ−Ｆｌａｓｈ（Ｔｒａｎｓ−Ｆｌａｓｈ）メモリカード、マイクロＳＤ（Ｒ）カード等の各種メモリカードを利用するために、カード用コネクタを備えている。
【０００３】
そして、メモリカードの挿入及び取出しに対応して電源をオンとオフとに切替えたりするために、メモリカードの挿入を検出するカード検出スイッチを有するカード用コネクタが提案されている（例えば、特許文献１参照。）。
【０００４】
図１７は従来のカード用コネクタのカード検出スイッチを示す図である。
【０００５】
図において、８５２はカード検出スイッチの第１のスイッチ部材であり、８５３はカード検出スイッチの第２のスイッチ部材である。前記第１のスイッチ部材８５２及び第２のスイッチ部材８５３は、メモリカードのコンタクトパッドに接続される端子とともにメモリカードの幅方向に並べられてハウジングの底板に装填（てん）され、前記端子と同様に、図において矢印Ｐで示されるようなメモリカードの挿入方向に延在する。また、前記第１のスイッチ部材８５２及び第２のスイッチ部材８５３は、互いに平行となるように配設され、メモリカードがハウジングに挿入されない状態では、互いに非接触となっている。
【０００６】
前記第１のスイッチ部材８５２の先端近傍には、上方に凸に折曲げられてメモリカードの挿入空間内に突出する押圧部８５２ｆが形成される。また、前記第１のスイッチ部材８５２の先端には、側方に延出して、第２のスイッチ部材８５３の接触部８５３ｃの上方に到達する接触部８５２ｃが接続されている。該接触部８５２ｃは、メモリカードがハウジングに挿入されない状態では、第２のスイッチ部材８５３の接触部８５３ｃの上方に離れて位置する。
【０００７】
そして、メモリカードがカード用コネクタの挿入空間内に挿入されると、メモリカードの先端が第１のスイッチ部材８５２の押圧部８５２ｆに当接し、その斜面に沿って矢印Ｐで示されるような方向に移動するので、前記第１のスイッチ部材８５２は、下方に押下げられる。これにより、第１のスイッチ部材８５２の接触部８５２ｃが、図に示されるように、第２のスイッチ部材８５３の接触部８５３ｃの上面に当接するので、カード検出スイッチは、導通状態に切替り、メモリカードの挿入を検出する。
【特許文献１】特開２０００−４８９１６号公報
【発明の開示】
【発明が解決しようとする課題】
【０００８】
しかしながら、前記従来のカード用コネクタにおいては、カード検出スイッチの第１のスイッチ部材８５２及び第２のスイッチ部材８５３が、メモリカードのコンタクトパッドに接続される端子とともに並べられて配設されているので、該端子のピッチを狭くすることができない。そのため、コンタクトパッドのピッチが狭い小型のメモリカードに対応することが困難である。
【０００９】
また、前記カード検出スイッチを、カード用コネクタが対象とするメモリカードと、該メモリカードと相違するメモリカードが装填されたアダプタとを識別するための識別スイッチとして使用することは、更に困難である。例えば、カード用コネクタが対象とするメモリカードと識別することができるようにするための突起が前端の中央部に形成されたアダプタを使用する場合、前記カード検出スイッチの第１のスイッチ部材８５２及び第２のスイッチ部材８５３をメモリカードの幅方向の中央部に配設すると、メモリカードの幅方向の中央部に位置するコンタクトパッドに接続される端子を装填することができなくなってしまう。
【００１０】
さらに、前記カード検出スイッチでは、接触部８５２ｃ及び８５３ｃが、メモリカードの挿入方向に関して、押圧部８５２ｆよりも奥側に位置するので、アダプタの前端に形成された突起を検出させようとした場合、該突起が当接する押圧部８５２ｆよりも更に奥側にまで第１のスイッチ部材８５２及び第２のスイッチ部材８５３が延出することになってしまう。そのため、メモリカードの挿入方向に関して、カード用コネクタの寸法が大きくなり、カード用コネクタが大型化してしまう。
【００１１】
本発明は、前記従来のカード用コネクタの問題点を解決して、カードとカード用アダプタとを識別する識別スイッチをハウジングにおけるカードの挿入方向の最奥部に配設し、前記識別スイッチによってカード用アダプタの前端に形成された前方突起を検出するようにして、識別スイッチが確実に作動してカードとカード用アダプタとを正確に識別することができるとともに、識別スイッチの存在が端子の配列に影響を及ぼすことがなく、構造が簡素であり、全体のサイズが小型であり、信頼性の高いカード用コネクタを提供することを目的とする。
【課題を解決するための手段】
【００１２】
そのために、本発明のカード用コネクタにおいては、第１カードが装填されたカード用アダプタ又は第２カードを収容するハウジングと、該ハウジングに取付けられ、前記カード用アダプタ又は第２カードのコンタクトパッドと接触する端子と、前記カード用アダプタ又は第２カードを挿入方向と反対の方向に付勢する付勢部材を備え、プッシュ動作によって挿入方向に押込まれた前記カード用アダプタ又は第２カードをロック位置で保持するとともに、該ロック位置から更に挿入方向に押込むプッシュ動作によって前記カード用アダプタ又は第２カードが終端点まで到達すると、前記付勢部材の付勢力によって前記カード用アダプタ又は第２カードを終端点から挿入方向と反対の方向に移動させて排出するカード案内機構と、ロック位置で保持された第２カードの挿入方向前端よりも挿入方向側に配設された第１接点部材及び第２接点部材によって形成され、前記カード用アダプタと第２カードとを識別する識別スイッチとを有し、前記カード用アダプタは、挿入方向前端から前方に延出する前方突起を備え、前記第１接点部材は、前記カード用アダプタの前方突起に当接すると、カード用アダプタの厚さ方向に変位させられ、第２接点部材と接触する。
【００１３】
本発明の他のカード用コネクタにおいては、さらに、前記第１接点部材及び第２接点部材は、ばね性を備えた導電性材料から成る板材で形成され、前記挿入方向と交差する方向に向けて延在する腕部と、該腕部の自由端に接続された当接部とを備え、前記第１接点部材の当接部は、前記カード用アダプタの前方突起に当接すると、第２接点部材の当接部に接触する。
【００１４】
本発明の更に他のカード用コネクタにおいては、さらに、前記ハウジングは、前記カード用アダプタの前方突起が進入する前方突起収容部を前記挿入方向の最奥部に備え、前記第１接点部材及び第２接点部材の当接部は、前記前方突起収容部内に配設される。
【００１５】
本発明の更に他のカード用コネクタにおいては、さらに、前記カード用アダプタの前方突起は、前記カード用アダプタが前記ロック位置に位置する場合及び該ロック位置よりも更に挿入方向に位置する場合に、前記第１接点部材の当接部に当接する。
【００１６】
本発明の更に他のカード用コネクタにおいては、さらに、前記第１接点部材の腕部と第２接点部材の腕部とは同一方向に向けて延出する。
【００１７】
本発明の更に他のカード用コネクタにおいては、さらに、前記第１接点部材の腕部と第２接点部材の腕部とは互いに反対方向に向けて延出する。
【発明の効果】
【００１８】
本発明によれば、カード用コネクタは、カードとカード用アダプタとを識別する識別スイッチがハウジングにおけるカードの挿入方向の最奥部に配設され、前記識別スイッチによってカード用アダプタの前端に形成された前方突起を検出する。これにより、識別スイッチが確実に作動してカードとカード用アダプタとを正確に識別することができるとともに、識別スイッチの存在が端子の配列に影響を及ぼすことがなく、構造が簡素であり、全体のサイズが小型であり、信頼性を向上させることができる。
【発明を実施するための最良の形態】
【００１９】
以下、本発明の実施の形態について図面を参照しながら詳細に説明する。
【００２０】
図１は本発明の第１の実施の形態におけるカード用アダプタを示す上方から観た斜視図、図２は本発明の第１の実施の形態におけるカード用アダプタを示す下方から観た斜視図、図３は本発明の第１の実施の形態におけるカード用アダプタに装着されるカードを示す三面図、図４は本発明の第１の実施の形態におけるカード用アダプタにカードを装着した状態を示す上方から観た斜視図、図５は本発明の第１の実施の形態におけるカード用アダプタの上板を取除いた状態を示す斜視図である。なお、図３において、（ａ）は上面、（ｂ）は下面、（ｃ）は側面を示している。
【００２１】
図において、１０１は本実施の形態におけるカード用アダプタであり、第１カード２０１が装填された状態で、後述される本実施の形態におけるカード用コネクタ１に装填することができる。該カード用コネクタ１は、そもそも、後述される第２カード３０１が装填されるコネクタであって、図示されない電子機器に取付けられる。そして、前記第２カード３０１がカード用コネクタ１に装填されると、該カード用コネクタ１を介して、前記電子機器に第２カード３０１が装着される。また、第１カード２０１が装填されたカード用アダプタ１０１がカード用コネクタ１に装填されると、該カード用コネクタ１及びカード用アダプタ１０１を介して、前記電子機器に第１カード２０１が装着される。
【００２２】
なお、前記電子機器は、例えば、パーソナルコンピュータ、携帯電話機、ＰＤＡ、デジタルカメラ、ビデオカメラ、音楽プレーヤ、ゲーム機、車両用ナビゲーション装置等であるが、いかなる種類の機器であってもよい。
【００２３】
また、前記第１カード２０１及び第２カード３０１は、例えば、ＳＩＭカード、ＭＭＣ（Ｒ）、ＳＤ（Ｒ）カード、ｍｉｎｉＳＤ（Ｒ）カード、ｘＤピクチャーカード（Ｒ）、メモリスティック（Ｒ）、メモリスティックＤｕｏ（Ｒ）、スマートメディア（Ｒ）、Ｔ−Ｆｌａｓｈメモリカード、マイクロＳＤ（Ｒ）カード等のＩＣカードであり、いかなる種類のカードであってもよいが、第１カード２０１の方が第２カード３０１よりもサイズな小さな種類のカードであるものとする。ここでは、第１カード２０１がマイクロＳＤ（Ｒ）カードであって、第２カード３０１がｘＤピクチャーカード（Ｒ）である場合を例に採って説明する。
【００２４】
なお、本実施の形態において、カード用アダプタ１０１及びカード用コネクタ１の各部の構成及び動作を説明するために使用される上、下、左、右、前、後等の方向を示す表現は、絶対的なものでなく相対的なものであり、カード用アダプタ１０１及びカード用コネクタ１又はそれらの部品が図に示される姿勢である場合に適切であるが、カード用アダプタ１０１及びカード用コネクタ１又はそれらの部品の姿勢が変化した場合には、姿勢の変化に応じて変更して解釈されるべきものである。
【００２５】
ここで、前記カード用アダプタ１０１は、合成樹脂等の絶縁性材料によって一体的に成形された板状の部材である第１板部材としての上板１２０と、同様に、合成樹脂等の絶縁性材料によって一体的に成形された板状の部材である第２板部材としての下板１１０とを有し、上板１２０と下板１１０とを重ね合せて結合することによって、カード用アダプタ１０１のハウジング１０９が形成される。
【００２６】
そして、前記カード用アダプタ１０１は、第２カード３０１が装填されるカード用コネクタ１に装填されるものであるから、第２カード３０１の外形及び寸法と類似の外形及び寸法を備える。前述のように、本実施の形態において、第２カード３０１は、ｘＤピクチャーカード（Ｒ）であるから、その寸法は、長さが２０〔ｍｍ〕、幅が２５〔ｍｍ〕及び厚さが１．７〔ｍｍ〕である。したがって、カード用アダプタ１０１は、図１及び２に示されるように、第２カード３０１に類似した板状の形状を有し、各寸法は、長さ、すなわち、前端１０１ａと後端１０１ｂとの間隔が２０〔ｍｍ〕、幅、すなわち、右側端１０１ｃと左側端１０１ｄとの間隔が２５〔ｍｍ〕、厚さ、すなわち、上板１２０の外面と下板１１０の外面との間隔が１．７〔ｍｍ〕である。
【００２７】
なお、前記カード用アダプタ１０１は、第２カード３０１と大きく相違する外形上の特徴として、前端１０１ａの中央部から前方に延出する前方突起１０３を有する。図に示される例において、前記前方突起１０３は、前方に行くほど幅が狭くなる台形のような形状を備えているが、必ずしも台形のような形状である必要はなく、半円形、三角形、長方形等の形状であってもよいし、いかなる形状であってもよい。カード用コネクタ１は、後述されるように、第２カード３０１でなくカード用アダプタ１０１が装填されたことを認識するために、すなわち、装填されたものが第２カード３０１であるかカード用アダプタ１０１であるかを識別するために識別スイッチを備えており、前記前方突起１０３は、カード用アダプタ１０１がカード用コネクタ１に装填された状態で識別スイッチに当接して該識別スイッチを作動させるための部材である。したがって、前記前方突起１０３は、カード用アダプタ１０１がカード用コネクタ１に装填された状態で識別スイッチに当接することができるのであれば、いかなる形状及び寸法のものであってもよい。
【００２８】
そして、カード用アダプタ１０１の左側端１０１ｄには、凹部１０８が形成されている。該凹部１０８は、カード用コネクタ１の後述されるスライド部材２１が備える係合凸部２１ｃと係合する。
【００２９】
また、カード用アダプタ１０１の右側端１０１ｃには、カード収容空間１０２が開口し、右側端１０１ｃからカード収容空間１０２内に第１カード２０１が挿入されるようになっている。
【００３０】
そして、上板１２０と下板１１０との間には、図５に示されるように、配線基板としての内部基板１３０と、内部端子ユニット１４０と、カードロック金具１６１とが配設される。また、上板１２０と下板１１０との間に形成されたカード収容空間１０２内には、第１カード２０１が挿入されて収容される。
【００３１】
前述のように、本実施の形態において、第１カード２０１は、マイクロＳＤ（Ｒ）カードであり、図３に示されるような略長方形の板状の形状を有し、各寸法は、長さ、すなわち、前端２０１ａと後端２０１ｂとの間隔が１５〔ｍｍ〕、幅、すなわち、右側端２０１ｃと左側端２０１ｄとの間隔が１１〔ｍｍ〕、厚さ、すなわち、第１面２１７と第２面２１８との間隔が０．７〔ｍｍ〕である。そして、下面、すなわち、第２面２１８における前端２０１ａ寄りの位置には、複数（図に示される例において８つ）のカード側コンタクトパッド２５１が前端２０１ａに沿って並んだ状態で配設されている。
【００３２】
なお、第１カード２０１の右側端２０１ｃには凹部２１２が形成され、さらに、前端２０１ａ寄りには前方切欠部２１３が形成されている。前記凹部２１２は、カードロック金具１６１の係合凸部１６１ａと係合する。また、前記前方切欠部２１３は、第１カード２０１の前端２０１ａと右側端２０１ｃとの角部を所定範囲に亘（わた）って欠落させたものであり、略台形の形状を備える。これにより、第１カード２０１の前端２０１ａ寄りの部分には後端寄りの部分よりも幅の狭い幅狭部が形成され、その幅寸法は９．７〔ｍｍ〕である。
【００３３】
また、内部基板１３０は、一般のプリント回路基板と同様の構造を有しており、内部基板１３０の上面及び下面、すなわち、第１面１３０ａ及び第２面には、導電トレースとして、複数本の配線１３３と、アダプタ側接続端子としての複数のコンタクトパッド、すなわち、アダプタ側コンタクトパッド１３６とが形成されている。
【００３４】
内部基板１３０がカード用アダプタ１０１内に取付けられた状態において、アダプタ側コンタクトパッド１３６は、図２に示されるように、下板１１０のパッド対応開口部１１２からカード用アダプタ１０１の外側に露出する。これにより、カード用アダプタ１０１をカード用コネクタ１に装填すると、該カード用コネクタ１の端子５１がアダプタ側コンタクトパッド１３６と接触して電気的に導通する。また、内部端子ユニット１４０は、アダプタ内カード接続端子１５０と、該アダプタ内接続端子１５０を保持する端子保持部材１４１とを備える。アダプタ内接続端子１５０は、金属板等のばね性を備える導電性の板材から成り、その一端は、内部基板１３０に形成される接続パッドやスルーホール等にはんだ付け等によって電気的に接続され、その他端は、カード用アダプタ１０１内に収容される第１カード２０１のカード側コンタクトパッド２５１と接触し導通する。これにより、内部基板１３０のアダプタ側コンタクトパッド１３６とカード側コンタクトパッド２５１は、アダプタ内カード接続端子１５０を介して電気的に導通する。
【００３５】
次に、前記カード用アダプタ１０１が装填されるカード用コネクタ１の構成について説明する。
【００３６】
図６は本発明の第１の実施の形態におけるカード用コネクタを示す上方から観た斜視図、図７は本発明の第１の実施の形態におけるカード用コネクタを示す下方から観た斜視図、図８は本発明の第１の実施の形態におけるカード用コネクタのシェルを取除いた状態を示す斜視図、図９は本発明の第１の実施の形態におけるカード用コネクタの分解図である。
【００３７】
ここで、前記カード用コネクタ１は、合成樹脂等の絶縁性材料によって一体的に成形され、前記カード用アダプタ１０１又は第２カード３０１を収容するハウジング１１と、金属等の導電性材料から成る板材に打抜き、折曲げ等の加工を施すことによって成形され、ハウジング１１の上側に取付けられたケースとしてのシェル６１とを有する。前記カード用コネクタ１は、図６及び７に示されるように、概略、扁（へん）平な直方体形状を備え、前記電子機器に取付けられ、前方（図６における左下方）からカード用アダプタ１０１又は第２カード３０１が挿入される。ここでは、カード用アダプタ１０１が、アダプタ側接続端子としてのアダプタ側コンタクトパッド１３６が露出する面が下になるような向きで、すなわち、下板１１０が下になり、上板１２０が上になるような向きで、カード用コネクタ１に挿入されるものとして説明する。また、第２カード３０１も、そのカード側コンタクトパッドが露出する面が下になるような向きで、カード用コネクタ１に挿入されるものとして説明する。
【００３８】
なお、図８は、説明のためにシェル６１を除去した状態のカード用コネクタ１を示す図であるが、カード用コネクタ１は、前方が右上方となるように示されている。
【００３９】
前記ハウジング１１は、カード用アダプタ１０１又は第２カード３０１の挿入方向に関して手前側となる前縁側（図９における左下側）が略Ｕ字状に切取られた形状を備える底壁部１１ａ、及び、該底壁部１１ａの奥部において奥側の縁に沿って延在し、底壁部１１ａから立設する奥壁部１１ｂを有する。
【００４０】
ここで、底壁部１１ａの上面には、前後方向に延在するように形成された端子装填溝１１ｅが複数形成され、各端子装填溝１１ｅにコネクタ側端子としての端子５１が挿入されて取付けられている。そして、該端子５１は、その基部５１ａが前記端子装填溝１１ｅ内における底壁部１１ａの手前側の縁に近い部分に取付けられ、その先端に形成された先端部５１ｂが奥壁部１１ｂに向けて斜め上方に延在して底壁部１１ａの上面より上方に突出している。前記端子５１の先端部５１ｂは、接触部として機能し、カード用アダプタ１０１の下板１１０のパッド対応開口部１１２から露出するアダプタ側コンタクトパッド１３６又は第２カード３０１のカード側コンタクトパッドに接触して電気的に接続される。また、前記端子５１の基部５１ａから延在するソルダーテール部５１ｃは、底壁部１１ａの手前側の縁から前方に向けて突出し、前記電子機器における配線基板等に形成された導電線、コンタクトパッド、端子等、すなわち、相手側端子部材に、はんだ付等によって電気的に接続される。なお、ハウジング１１の前縁側には、金属板から成るグランドプレート６５が配設される。
【００４１】
そして、ハウジング１１は、底壁部１１ａの一方の側縁に沿って前後方向に延在する断面Ｌ字状の側壁部としての第１側壁部１１ｃ、及び、底壁部１１ａの他方の側縁に沿って前後方向に延在する側壁部としての第２側壁部１１ｄを有する。該第２側壁部１１ｄの内側には、カード用コネクタ１内に挿入されたカード用アダプタ１０１又は第２カード３０１を案内するためのカード案内機構のスライド部材２１が前後方向にスライド可能に取付けられている。
【００４２】
ここで、スライド部材２１は、カード用アダプタ１０１又は第２カード３０１を保持するためのカード保持部２１ａと、移動カム部材としてのスライドカム部２２とから成る。なお、前記カード保持部２１ａとスライドカム部２２とは一体的に形成されている。そして、前記カード保持部２１ａは、その内側の側面から突出するように形成された第１係合部としての係合腕部２１ｂ及び第２係合部としての係合凸部２１ｃを備える。前記係合腕部２１ｂは、カード用アダプタ１０１の前端１０１ａ又は第２カード３０１の前端３０１ａと係合し、係合凸部２１ｃは、カード用アダプタ１０１の凹部１０８又は第２カード３０１の凹部３０８と係合する。そして、スライド部材２１は、カード保持部２１ａの係合腕部２１ｂ及び係合凸部２１ｃによってカード用アダプタ１０１又は第２カード３０１を保持し、カード用アダプタ１０１又は第２カード３０１とともに前後方向に移動する。
【００４３】
また、カード保持部２１ａには、スライド部材２１をガイドする棒状のガイド部材７２が挿入される貫通孔（こう）としての被ガイド孔２１ｄが形成されている。なお、前記ガイド部材７２の両端は、ハウジング１１の奥壁部１１ｂの係止部１１ｆと、ハウジング１１のストッパ部１１ｇに取付けられる。これにより、スライド部材２１は、ガイド部材７２に沿って前後方向にスライドする。
【００４４】
なお、前記ガイド部材７２の周囲を取囲むように、コイルスプリングから成る付勢部材８１が配設される。該付勢部材８１は、その一端が前記係止部１１ｆに当接し、その他端がスライド部材２１に当接する。これにより、該スライド部材２１は、圧縮ばねとして機能する付勢部材８１によって、カード用アダプタ１０１又は第２カード３０１の挿入方向と反対の方向、すなわち、カード用アダプタ１０１又は第２カード３０１の排出方向に付勢される。
【００４５】
そして、前記カード用コネクタ１は、該カード用コネクタ１内にカード用アダプタ１０１又は第２カード３０１を挿入する際にも、カード用コネクタ１内からカード用アダプタ１０１又は第２カード３０１を取出す際にも、カード用アダプタ１０１又は第２カード３０１を押込む動作を必要とする、いわゆる、プッシュインプッシュアウトタイプ、又は、プッシュ／プッシュタイプと通称されるものである。このような動作は、押ボタンスイッチの分野におけるオルタネイト動作（位置保持型、プッシュオン・プッシュオフ型）と同様のものである。そして、前記スライドカム部２２は、プッシュ／プッシュタイプの動作を行うためのカム機構におけるスライドカムとして機能する。
【００４６】
そのため、スライドカム部２２には、後述されるカム溝２３が形成され、該カム溝２３には固定カム部材としての細長いピン部材７１の自由端７１ａが係合している。また、前記ピン部材７１の他端としての固定端７１ｂは、ハウジング１１の奥壁部１１ｂにおける係止部１１ｆの側面に係合し、ピボット結合されている。そして、前記ピン部材７１とカム溝２３とが協働することによって、カード用アダプタ１０１又は第２カード３０１とともに移動するスライド部材２１にプッシュ／プッシュの動作を行わせるようになっている。これにより、前記カード案内機構は、カード用アダプタ１０１又は第２カード３０１を挿入方向に押込むプッシュ動作によってカード用アダプタ１０１又は第２カード３０１が挿入方向に移動して終端点まで到達すると、前記付勢部材８１の付勢力によって、前記カード用アダプタ１０１又は第２カード３０１を終端点から挿入方向と反対の方向に移動させて排出することができる。
【００４７】
また、前記ハウジング１１の奥部には、カード用アダプタ１０１の前方突起１０３を収容する前方突起収容部１３が形成されている。具体的には、奥壁部１１ｂの一部を奥に向けて更に凹入させて最奥壁部１１ｊを形成することによって、ハウジング１１の奥部から更に奥に向けて突出する空間としての前方突起収容部１３が形成される。なお、奥壁部１１ｂの一部を奥に向けて更に凹入させるのに対応させて、底壁部１１ａの奥側の一部も奥に向けて延出させている。
【００４８】
そして、前記前方突起収容部１３内には、カード用コネクタ１に装填されたものが第２カード３０１であるかカード用アダプタ１０１であるかを識別するための識別スイッチを形成する第１接点部材５２及び第２接点部材５３が配設されている。前記識別スイッチは、カード用アダプタ１０１の前方突起１０３を検出するスイッチであり、前記前方突起１０３が当接することによって作動し、第２カード３０１でなくカード用アダプタ１０１がカード用コネクタ１に装填されたことを認識する。なお、前記前方突起収容部１３及びそれに隣接する範囲の底壁部１１ａの上面には、第１接点部材５２及び第２接点部材５３の一部を収容するための接点部材収容凹部１１ｉが形成されている。
【００４９】
前記第１接点部材５２は、金属等のばね性を備えた導電性材料から成る板材に打抜き、折曲げ等の加工を施すことによって成形された部材である。そして、前記第１接点部材５２は、底壁部１１ａの上面と平行な基部５２ａと、該基部５２ａに一端が接続されて固定され、他端、すなわち、自由端が上下方向に弾性的に変位可能なカンチレバー状の腕部５２ｂと、該腕部５２ｂの自由端に接続され、カード用コネクタ１に装填されたカード用アダプタ１０１の前方突起１０３が当接する当接部５２ｃとを備える。なお、該当接部５２ｃの手前側端は、下方に向けて傾斜する突起導入部５２ｆである。
【００５０】
また、前記第１接点部材５２は、前記基部５２ａに対してほぼ直角に折曲げられ、前記奥壁部１１ｂと平行な取付部５２ｄと、該取付部５２ｄの下端においてほぼ直角に折曲げられ、奥に向けて突出するテール部５２ｅとを備える。なお、該テール部５２ｅは、前記電子機器における配線基板等に形成された信号線、コンタクトパッド、端子等、すなわち、相手側端子部材に、はんだ、導電性接着剤等の導電性固着剤を用いて接続される。前記取付部５２ｄは、奥壁部１１ｂに沿って取付けられ、前記テール部５２ｅはハウジング１１の外に突出し、前記基部５２ａは接点部材収容凹部１１ｉの上面に沿って配設され、腕部５２ｂ及び当接部５２ｃは接点部材収容凹部１１ｉ内に位置する。
【００５１】
そして、基部５２ａは、前方突起収容部１３内の右端、すなわち、第１側壁部１１ｃ寄りの端に位置し、腕部５２ｂは、基部５２ａから最奥壁部１１ｊと平行に左方へ向けて、すなわち、第２側壁部１１ｄの方に向けて延出し、当接部５２ｃは、前方突起収容部１３内の左端、すなわち、第２側壁部１１ｄ寄りの端に位置する。なお、前記腕部５２ｂは、基部５２ａから斜め上方に延出し、カード用アダプタ１０１が装填されない状態において、当接部５２ｃは、底壁部１１ａの上面よりも上方に位置する。
【００５２】
また、前記第２接点部材５３は、金属等のばね性を備えた導電性材料から成る板材に打抜き、折曲げ等の加工を施すことによって成形された部材である。そして、前記第２接点部材５３は、底壁部１１ａの上面と平行な基部５３ａと、該基部５３ａに一端が接続されて固定され、他端、すなわち、自由端が上下方向に弾性的に変位可能なカンチレバー状の腕部５３ｂと、該腕部５３ｂの自由端に接続され、前記第１接点部材５２の当接部５２ｃと当接する当接部５３ｃとを備える。
【００５３】
さらに、前記第２接点部材５３は、前記基部５３ａに対してほぼ直角に折曲げられ、前記最奥壁部１１ｊと平行な取付部５３ｄと、該取付部５３ｄの下端においてほぼ直角に折曲げられ、奥に向けて突出するテール部５３ｅとを備える。なお、該テール部５３ｅは、前記電子機器における配線基板等に形成された信号線、コンタクトパッド、端子等、すなわち、相手側端子部材に、はんだ、導電性接着剤等の導電性固着剤を用いて接続される。前記取付部５３ｄは、最奥壁部１１ｊに沿って取付けられ、前記テール部５３ｅはハウジング１１の外に突出し、前記基部５３ａは接点部材収容凹部１１ｉの上面に沿って配設され、腕部５３ｂ及び当接部５３ｃは接点部材収容凹部１１ｉ内に位置する。
【００５４】
そして、基部５３ａは、前方突起収容部１３内の右端、すなわち、第１側壁部１１ｃ寄りの端に位置し、腕部５３ｂは、基部５３ａから最奥壁部１１ｊに沿って左方へ向けて、すなわち、第２側壁部１１ｄの方に向けて延出し、当接部５３ｃは、前方突起収容部１３内の左端、すなわち、第２側壁部１１ｄ寄りの端に位置する。なお、前記腕部５３ｂは、基部５３ａから斜め上方に延出し、カード用アダプタ１０１が装填されない状態において、当接部５３ｃは、接点部材収容凹部１１ｉの上面から離れて上方に位置する。
【００５５】
このように、第１接点部材５２の腕部５２ｂと第２接点部材５３の腕部５３ｂとは、前方突起収容部１３において、右から左へ向けて、すなわち、同じ方向に延出するが、第１接点部材５２の腕部５２ｂが第２接点部材５３の腕部５３ｂよりも上方、かつ、手前寄りに位置し、カード用アダプタ１０１が装填されない状態において、相互に接触しないようになっている。
【００５６】
なお、前記第１接点部材５２の当接部５２ｃは、第２接点部材５３の当接部５３ｃの上方に離れて位置し、カード用アダプタ１０１が装填されない状態において、第２接点部材５３の当接部５３ｃに当接しないようになっている。ただし、カード用アダプタ１０１が装填されると、前記第１接点部材５２の当接部５２ｃは、カード用アダプタ１０１の前方突起１０３によって下方へ変位させられ、第２接点部材５３の当接部５３ｃに当接する。
【００５７】
前記第１接点部材５２及び第２接点部材５３が形成する識別スイッチは、カード用アダプタ１０１の前方突起１０３が移動することによって作動する。該前方突起１０３が前方突起収容部１３に進入して、前方突起１０３の下面が第１接点部材５２の当接部５２ｃに当接すると、該当接部５２ｃが下方に変位させられて第２接点部材５３の当接部５３ｃに当接して導通する、すなわち、ＯＦＦ（オフ）からＯＮ（オン）になる。なお、本実施の形態において、識別スイッチは、カード用アダプタ１０１の前方突起１０３が前方突起収容部１３に進入していない状態ではＯＦＦであり、前方突起１０３が前方突起収容部１３に進入するとＯＮになる初期ＯＦＦタイプのものであるとして説明する。
【００５８】
本実施の形態におけるカード用コネクタ１は、第１カード２０１が装填されたカード用アダプタ１０１又は第２カード３０１を排他的に装填可能なコネクタである。これにより、カード用コネクタ１が取付けられた電子機器に、第２カード３０１だけでなく、カード用アダプタ１０１を使用すれば、第１カード２０１も装着することができる。しかし、相違するカードにおいては、その接続端子であるカード側コンタクトパッドの数及びピッチが相違し、各カード側コンタクトパッドに接続される導電ラインの機能が相違することが多い。該機能とは、例えば、導電ラインが電力線であるのか信号線であるのか、信号線である場合にはどのような種類の信号を伝達するのか等のことである。
【００５９】
そのため、カード用アダプタ１０１のアダプタ側コンタクトパッド１３６の数及びピッチが第２カード３０１のカード側コンタクトパッドの数及びピッチと同一であっても、前記アダプタ側コンタクトパッド１３６は、第２カード３０１と相違する第１カード２０１のカード側コンタクトパッド２５１に接続されたものであるから、前記アダプタ側コンタクトパッド１３６の各々の機能は、第２カード３０１の対応するカード側コンタクトパッドの機能と相違する可能性がある。そして、アダプタ側コンタクトパッド１３６の機能が第２カード３０１の対応するカード側コンタクトパッドの機能と相違する場合には、カード用コネクタ１の各端子５１に接続される電子機器における導電ラインの機能を、カード用コネクタ１にカード用アダプタ１０１が装填されたときと第２カード３０１が装填されたときとで切替える必要がある。
【００６０】
前述のように、カード用コネクタ１が第２カード３０１とカード用アダプタ１０１とを識別するための識別スイッチを有するので、カード用コネクタ１が取付けられた電子機器は、前記識別スイッチがＯＮであるかＯＦＦであるかに基づいて、カード用コネクタ１にカード用アダプタ１０１が装填されたか第２カード３０１が装填されたかを検出し、カード用コネクタ１の各端子５１に接続される電子機器における導電ラインの機能を必要に応じて切替えることができる。なお、前記端子５１に接続される電子機器における導電ラインの機能は、第２カード３０１及びカード用アダプタ１０１に装填される第１カード２０１の実際の種類によって決定される。
【００６１】
次に、前記構成のカード用コネクタ１の動作について説明する。
【００６２】
図１０は本発明の第１の実施の形態におけるカード用アダプタの装填及び取出の動作を示す図、図１１は本発明の第１の実施の形態におけるカム機構の動作を示す図、図１２は本発明の第１の実施の形態における識別スイッチの動作を示す図であり図１０の断面図である。なお、図１０〜１２において、（ａ）はスライド部材が初期位置にあるとき、（ｂ）はスライド部材がロック位置手前所定距離にあるとき、（ｃ）はスライド部材がロック位置にあるとき、（ｄ）はスライド部材が最深位置にあるときを示している。
【００６３】
本実施の形態におけるカム機構は、プッシュ／プッシュタイプの動作を行うためのものであり、通常のハート状カム方式の機構と同様のものである。すなわち、スライドカム部２２のカム溝２３の形状は、図１１に示されるように、ハートの周囲を巡るような形状であって、スライド部材が押込まれてロックされるロック位置とその周辺に対応する部分が略Ｖ字状である。図１１に示される例において、カム溝２３には、初期位置に対応する初期凹部２３ａ、最深位置としての第１の終端点に対応する第１終端凹部２３ｂ、ロック位置に対応するロック凹部２３ｃ、及び、最深位置としての第２の終端点に対応する第２終端凹部２３ｄが形成されている。ただし、カム溝２３の底面は、通常のハート状カム方式の機構と同様に、ピン部材７１の自由端７１ａが一方向のみにカム溝２３内を移動するような段差を有する。
【００６４】
ここでは、カード用アダプタ１０１をカード用コネクタ１に装填し、その後、カード用コネクタ１から取出すために、プッシュ／プッシュタイプの動作を行う場合について説明する。なお、前記カード用アダプタ１０１には第１カード２０１が装填されているものとする。
【００６５】
まず、ユーザが手指等によってカード用アダプタ１０１をカード用コネクタ１の前方から挿入する。図１０（ａ）及び１２（ａ）に示されるように、初期位置において、カード用アダプタ１０１の前方突起１０３は、第１接点部材５２及び第２接点部材５３が形成する識別スイッチの位置にまで到達していない。そのため、識別スイッチはＯＦＦになっている。また、カード用アダプタ１０１の下面に露出するアダプタ側コンタクトパッド１３６は端子５１の位置にまで到達していない。なお、図１０及び１２は、図８と同様に、説明のためにシェル６１を除去した状態を示している。
【００６６】
また、カード用アダプタ１０１の前端１０１ａにおける左側端１０１ｄ近傍の部分はスライド部材２１の係合腕部２１ｂと係合し、カード用アダプタ１０１の左側端１０１ｄに形成された凹部１０８はスライド部材２１の係合凸部２１ｃと係合している。さらに、カム溝２３内におけるピン部材７１の自由端７１ａは、図１１（ａ）に示されるように、初期凹部２３ａ内にある。
【００６７】
続いて、ユーザがカード用アダプタ１０１をプッシュして更に押込むと、該カード用アダプタ１０１の前端１０１ａ及び凹部１０８がスライド部材２１の係合腕部２１ｂ及び係合凸部２１ｃと係合しているので、カード用アダプタ１０１は、スライド部材２１とともに、奥壁部１１ｂに向けて移動する。この際、スライド部材２１がコイルスプリングから成る付勢部材８１を圧縮するので、スライド部材２１及びカード用アダプタ１０１は、付勢部材８１の反発力を受けるが、該反発力がユーザの手指等が発揮する押込力よりも小さいので、前記反発力に抗して移動する。
【００６８】
そして、図１０（ｂ）及び１２（ｂ）に示されるように、スライド部材２１及びカード用アダプタ１０１は、ロック位置の手前所定距離（例えば、５〔ｍｍ〕）の位置に到達する。この位置において、カード用アダプタ１０１の前方突起１０３は、識別スイッチの第１接点部材５２の当接部５２ｃに当接する。この場合、前方突起１０３が当接部５２ｃの上に乗上げているので、該当接部５２ｃは下方に変位させられ、第２接点部材５３の当接部５３ｃと当接する。したがって、第１接点部材５２と第２接点部材５３とが導通し、識別スイッチがＯＮになる。なお、当接部５２ｃの手前側端が下方に向けて傾斜する突起導入部５２ｆとなっているので、前方突起１０３が当接部５２ｃの上に乗上げることができ、前記押込力を格別増加させることなく、前方突起１０３によって当接部５２ｃを下方に変位させて、識別スイッチをＯＮにすることができる。
【００６９】
また、カード用アダプタ１０１のアダプタ側コンタクトパッド１３６は端子５１の先端部５１ｂと接触して導通する。さらに、カム溝２３内におけるピン部材７１の自由端７１ａは、図１１（ｂ）に示されるように、第１終端凹部２３ｂの手前側にある。
【００７０】
続いて、ユーザがカード用アダプタ１０１をプッシュして更に押込むと、スライド部材２１及びカード用アダプタ１０１は、奥壁部１１ｂに向けて更に移動して第１の終端点にに到達する。すると、カム溝２３内におけるピン部材７１の自由端７１ａが、第１終端凹部２３ｂの奥端、又は、スライド部材２１が奥壁部１１ｂに当接して、停止させられる。したがって、スライド部材２１及びカード用アダプタ１０１も停止させられ、ユーザは、手指にクリック感を覚えるので、プッシュ動作を停止し、カード用アダプタ１０１に対する押込力を解除する。
【００７１】
すると、付勢部材８１の反発力によって、スライド部材２１及びカード用アダプタ１０１は奥壁部１１ｂから離脱する向きに移動させられる。そして、スライド部材２１及びカード用アダプタ１０１は、図１０（ｃ）及び１２（ｃ）に示されるように、カード用コネクタ１内でカード用アダプタ１０１をロックした状態で保持するロック位置で停止する。これは、図１１（ｃ）に示されるように、ピン部材７１の自由端７１ａが、カム溝２３のロック凹部２３ｃ内において係止されるからである。
【００７２】
そして、カード用アダプタ１０１がロック位置に保持されることによって、カード用アダプタ１０１に装填された第１カード２０１とカード用コネクタ１が取付けられた電子機器の演算手段等との間でデータの送受信を行うことができる状態となる。なお、カード用アダプタ１０１がロック位置に保持されている場合、カード用アダプタ１０１のアダプタ側コンタクトパッド１３６は、端子５１の先端部５１ｂと接触して導通している。また、第１接点部材５２の当接部５２ｃは、カード用アダプタ１０１の前方突起１０３によって下方に変位させられ、第２接点部材５３の当接部５３ｃと当接した状態を維持している。そのため、識別スイッチはＯＮの状態を維持している。
【００７３】
次に、カード用アダプタ１０１をカード用コネクタ１から排出させて取出す動作について説明する。
【００７４】
この場合、ユーザが手指等によってカード用アダプタ１０１をプッシュして押込むと、スライド部材２１及びカード用アダプタ１０１は、ロック位置から奥壁部１１ｂに向けて移動させられる。すると、図１０（ｄ）及び１２（ｄ）に示されるように、カード用アダプタ１０１の前方突起１０３の前端が最奥壁部１１ｊに近接又は当接する。また、図１１（ｄ）に示されるように、カム溝２３内におけるピン部材７１の自由端７１ａが、第２終端凹部２３ｄの奥端、又は、スライド部材２１が奥壁部１１ｂに当接して、停止させられる。したがって、スライド部材２１及びカード用アダプタ１０１も停止させられ、ユーザは、手指にクリック感を覚えるので、プッシュ動作を停止し、カード用アダプタ１０１に対する押込力を解除する。
【００７５】
すると、付勢部材８１の反発力によって、スライド部材２１及びカード用アダプタ１０１は奥壁部１１ｂから離脱する向きに移動させられる。この場合、ピン部材７１の自由端７１ａは、動きが規制されることなくカム溝２３内を移動することができるので、スライド部材２１は、ロック位置で停止させられることがない。そのため、スライド部材２１及びカード用アダプタ１０１は、ロック位置を通過し、奥壁部１１ｂから離脱する方向に更に移動する。そして、スライド部材２１及びカード用アダプタ１０１は、図１０（ａ）及び１２（ａ）に示されるように、初期位置に復帰する。
【００７６】
また、カード用アダプタ１０１の前方突起１０３が、第１接点部材５２の当接部５２ｃの上から外れるので、該当接部５２ｃは、腕部５２ｂのばねとしての機能により、上方に変位し、第２接点部材５３の当接部５３ｃから離脱する。したがって、第１接点部材５２と第２接点部材５３とが非導通となって、識別スイッチがＯＦＦになる。
【００７７】
次に、第２カード３０１を装填する場合のカード用コネクタ１の動作について説明する。
【００７８】
図１３は本発明の第１の実施の形態における第２カードの装填及び取出の動作を示す図、図１４は本発明の第１の実施の形態における識別スイッチの動作を示す図であり図１３の断面図である。なお、図１３及び１４において、（ａ）はスライド部材がロック位置手前所定距離にあるとき、（ｂ）はスライド部材がロック位置にあるときを示している。
【００７９】
この場合、第１接点部材５２及び第２接点部材５３が形成する識別スイッチ以外の部分の動作については、カード用アダプタ１０１を装填する場合と同様であるので、説明を省略する。なお、図１３及び１４は、図８と同様に、説明のためにシェル６１を除去した状態を示している。
【００８０】
まず、ユーザが手指等によって第２カード３０１をカード用コネクタ１の前方から挿入する。初期位置において、第２カード３０１の下面のカード側コンタクトパッドは端子５１の位置にまで到達していない。また、第２カード３０１の前端３０１ａにおける左側端３０１ｄ近傍の部分はスライド部材２１の係合腕部２１ｂと係合し、第２カード３０１の左側端３０１ｄに形成された凹部３０８はスライド部材２１の係合凸部２１ｃと係合している。
【００８１】
続いて、ユーザが第２カード３０１をプッシュして更に押込むと、第２カード３０１の前端３０１ａ及び凹部３０８がスライド部材２１の係合腕部２１ｂ及び係合凸部２１ｃと係合しているので、第２カード３０１は、スライド部材２１とともに、奥壁部１１ｂに向けて移動する。この際、スライド部材２１がコイルスプリングから成る付勢部材８１を圧縮するので、スライド部材２１及び第２カード３０１は、付勢部材８１の反発力を受けるが、該反発力がユーザの手指等が発揮する押込力よりも小さいので、前記反発力に抗して移動する。
【００８２】
そして、図１３（ａ）及び１４（ａ）に示されるように、スライド部材２１及び第２カード３０１は、ロック位置の手前所定距離の位置に到達する。この位置においても、第２カード３０１は、カード用アダプタ１０１のような前方突起１０３を備えていないので識別スイッチの第１接点部材５２の当接部５２ｃに当接しない。したがって、該当接部５２ｃは、第２接点部材５３の当接部５３ｃの上方に離れて位置したままであるので、第１接点部材５２と第２接点部材５３とは導通しない、そのため、識別スイッチがＯＦＦの状態を維持する。
【００８３】
なお、第２カード３０１のカード側コンタクトパッドは端子５１の先端部５１ｂと接触して導通する。さらに、カム溝２３内におけるピン部材７１の自由端７１ａは、第１終端凹部２３ｂの手前側にある。
【００８４】
続いて、ユーザが第２カード３０１をプッシュして更に押込むと、スライド部材２１及び第２カード３０１は、奥壁部１１ｂに向けて更に移動して第１の終端点に到達する。すると、カム溝２３内におけるピン部材７１の自由端７１ａが、第１終端凹部２３ｂの奥端、又は、スライド部材２１が奥壁部１１ｂに当接して、停止させられる。したがって、スライド部材２１及び第２カード３０１は及びスライド部材２１も停止させられ、ユーザは、手指にクリック感を覚えるので、プッシュ動作を停止し、第２カード３０１に対する押込力を解除する。
【００８５】
すると、付勢部材８１の反発力によって、スライド部材２１及び第２カード３０１は奥壁部１１ｂから離脱する向きに移動させられる。そして、スライド部材２１及び第２カード３０１は、図１３（ｂ）及び１４（ｂ）に示されるように、カード用コネクタ１内で第２カード３０１をロックした状態で保持するロック位置で停止する。これは、ピン部材７１の自由端７１ａがカム溝２３のロック凹部２３ｃ内において係止されるからである。
【００８６】
そして、第２カード３０１がロック位置に保持されることによって、第２カード３０１とカード用コネクタ１が取付けられた電子機器の演算手段等との間でデータの送受信を行うことができる状態となる。なお、第２カード３０１がロック位置に保持されている場合、第２カード３０１のカード側コンタクトパッドは、端子５１の先端部５１ｂと接触して導通している。また、第２カード３０１の前端３０１ａは、第１接点部材５２の当接部５２ｃの上にまで到達しないので、当接部５２ｃは、第２カード３０１によって下方に変位させられることはない。したがって、第１接点部材５２の当接部５２ｃが第２接点部材５３の当接部５３ｃの上方に離れたままなので、識別スイッチはＯＦＦの状態を維持している。
【００８７】
なお、第２カード３０１をカード用コネクタ１から排出させて取出す動作については、識別スイッチがＯＦＦの状態を維持する点を除いてカード用アダプタ１０１の場合と同様であるので、説明を省略する。
【００８８】
このように、本実施の形態において、カード用コネクタ１は、第１カード２０１が装填されたカード用アダプタ１０１又は第２カード３０１を収容するハウジング１１と、ハウジング１１に取付けられ、カード用アダプタ１０１又は第２カード３０１のコンタクトパッド１３６と接触する端子５１と、カード用アダプタ１０１又は第２カード３０１を挿入方向と反対の方向に付勢する付勢部材８１を備え、プッシュ動作によって挿入方向に押込まれたカード用アダプタ１０１又は第２カード３０１をロック位置で保持するとともに、ロック位置から更に挿入方向に押込むプッシュ動作によってカード用アダプタ１０１又は第２カード３０１が終端点まで到達すると、付勢部材８１の付勢力によってカード用アダプタ１０１又は第２カード３０１を終端点から挿入方向と反対の方向に移動させて排出するカード案内機構と、ハウジング１１における挿入方向の最奥部に配設された第１接点部材５２及び第２接点部材５３によって形成され、カード用アダプタ１０１と第２カード３０１とを識別する識別スイッチとを有し、カード用アダプタ１０１は、前端１０１ａから前方に延出する前方突起１０３を備え、第１接点部材５２は、カード用アダプタ１０１の前方突起１０３に当接すると、カード用アダプタ１０１の厚さ方向に変位させられ、第２接点部材５３と接触する。
【００８９】
これにより、識別スイッチによってカード用アダプタ１０１の前方突起１０３を検出し、カード用アダプタ１０１と第２カード３０１とを正確に識別することができる。また、識別スイッチの存在が端子５１の配列に影響を及ぼすことがない。さらに、構造が簡素であり、全体のサイズを小型にすることができ、信頼性を向上させることができる。
【００９０】
また、第１接点部材５２及び第２接点部材５３は、ばね性を備えた導電性材料から成る板材で形成され、挿入方向と交差する方向に向けて延在する腕部５２ｂ及び５３ｂと、腕部５２ｂ及び５３ｂの自由端に接続された当接部５２ｃ及び５３ｃとを備え、第１接点部材５２の当接部５２ｃは、カード用アダプタ１０１の前方突起１０３に当接すると、第２接点部材５３の当接部５３ｃに接触する。
【００９１】
これにより、第１接点部材５２及び第２接点部材５３の当接部５２ｃ及び５３ｃの変位量は、挿入方向に関する前方突起１０３の変位量の影響を受けないので、カード用アダプタ１０１が挿入方向に押込まれる量が大きくても、第１接点部材５２及び第２接点部材５３の腕部５２ｂ及び５３ｂの変形量が大きくなり過ぎることがない。そのため、腕部５２ｂ及び５３ｂが塑性変形してしまうことがない。
【００９２】
さらに、ハウジング１１は、カード用アダプタ１０１の前方突起１０３が進入する前方突起収容部１３を挿入方向の最奥部に備え、第１接点部材５２及び第２接点部材５３の当接部５２ｃ及び５３ｃは、前方突起収容部１３内に配設される。これにより、前方突起１０３を備えていない第２カード３０１が挿入された場合には、第１接点部材５２の当接部５２ｃが第２カード３０１に当接することがなく、第１接点部材５２と第２接点部材５３とが接触することがない。したがって、カード用アダプタ１０１と第２カード３０１とを正確に識別することができる。
【００９３】
さらに、カード用アダプタ１０１の前方突起１０３は、カード用アダプタ１０１がロック位置に位置する場合及びロック位置よりも更に挿入方向に位置する場合に、第１接点部材５２の当接部５２ｃに当接する。これにより、識別スイッチは、カード用アダプタ１０１の前方突起１０３のみによって作動させられるので、カード用アダプタ１０１と第２カード３０１とを正確に識別することができる。
【００９４】
さらに、第１接点部材５２の腕部５２ｂと第２接点部材５３の腕部５３ｂとは同一方向に向けて延出する。これにより、ハウジング１１の挿入方向に関する寸法を短くすることができ、カード用コネクタ１を小型化することができる。
【００９５】
次に、本発明の第２の実施の形態について説明する。なお、第１の実施の形態と同じ構造を有するものについては、同じ符号を付与することによってその説明を省略する。また、前記第１の実施の形態と同じ動作及び同じ効果についても、その説明を省略する。
【００９６】
図１５は本発明の第２の実施の形態におけるカード用コネクタのシェルを取除いた状態を示す斜視図、図１６は本発明の第２の実施の形態におけるカード用コネクタの分解図である。
【００９７】
本実施の形態においては、カード用アダプタ１０１、第１カード２０１及び第２カード３０１の構成については、前記第１の実施の形態と同様であるので、その説明を省略し、前記カード用アダプタ１０１又は第２カード３０１が装填されるカード用コネクタ１について説明する。
【００９８】
本実施の形態において、カード案内機構のスライド部材２１は、第１側壁部１１ｃの内側に取付けられている。そのため、スライド部材２１の係合腕部２１ｂは、カード用アダプタ１０１の前端１０１ａにおける左側端１０１ｄ近傍の部分、又は、第２カード３０１の前端３０１ａにおける左側端３０１ｄ近傍の部分に係合する。また、本実施の形態におけるスライド部材２１は、カード用アダプタ１０１の左側端１０１ｄに形成された凹部１０８、又は、第２カード３０１の左側端３０１ｄに形成された凹部３０８と係合するための係合凸部２１ｃを備えていない。
【００９９】
また、本実施の形態の第１接点部材５２において、基部５２ａは、前方突起収容部１３内の右端、すなわち、第１側壁部１１ｃ寄りの端に位置し、腕部５２ｂは、基部５２ａから最奥壁部１１ｊと平行に左方へ向けて、すなわち、第２側壁部１１ｄの方に向けて延出し、当接部５２ｃは、前方突起収容部１３内の中央周辺に位置する。一方、本実施の形態の第２接点部材５３において、基部５３ａは、前方突起収容部１３内の左端、すなわち、第２側壁部１１ｄ寄りの端に位置し、腕部５３ｂは、基部５３ａから最奥壁部１１ｊに沿って右方へ向けて、すなわち、第１側壁部１１ｃの方に向けて延出し、当接部５３ｃは、前方突起収容部１３内の中央周辺に位置する。
【０１００】
このように、本実施の形態において、第１接点部材５２の腕部５２ｂと第２接点部材５３の腕部５３ｂとは、前方突起収容部１３において、右と左から互いに相手側に向けて、すなわち、反対方向に延出する。なお、第１接点部材５２の当接部５２ｃが、第２接点部材５３の当接部５３ｃの上方に離れて位置し、カード用アダプタ１０１が装填されない状態において、第２接点部材５３の当接部５３ｃに当接しないようになっている点については、前記第１の実施の形態と同様である。また、カード用アダプタ１０１が装填されると、第１接点部材５２の当接部５２ｃが、カード用アダプタ１０１の前方突起１０３によって下方へ変位させられ、第２接点部材５３の当接部５３ｃに当接する点も、前記第１の実施の形態と同様である。
【０１０１】
そして、本実施の形態におけるカード用コネクタ１のその他の点については、各部の形状、寸法等がわずかに相違するものの、実質的に前記第１の実施の形態と同様であるので、その説明を省略する。また、カード用コネクタ１の動作についても、前記第１の実施の形態と同様であるので、その説明を省略する。
【０１０２】
なお、本発明は前記実施の形態に限定されるものではなく、本発明の趣旨に基づいて種々変形させることが可能であり、それらを本発明の範囲から排除するものではない。
【図面の簡単な説明】
【０１０３】
【図１】本発明の第１の実施の形態におけるカード用アダプタを示す上方から観た斜視図である。
【図２】本発明の第１の実施の形態におけるカード用アダプタを示す下方から観た斜視図である。
【図３】本発明の第１の実施の形態におけるカード用アダプタに装着されるカードを示す三面図であり、（ａ）は上面、（ｂ）は下面、（ｃ）は側面を示す。
【図４】本発明の第１の実施の形態におけるカード用アダプタにカードを装着した状態を示す上方から観た斜視図である。
【図５】本発明の第１の実施の形態におけるカード用アダプタの上板を取除いた状態を示す斜視図である。
【図６】本発明の第１の実施の形態におけるカード用コネクタを示す上方から観た斜視図である。
【図７】本発明の第１の実施の形態におけるカード用コネクタを示す下方から観た斜視図である。
【図８】本発明の第１の実施の形態におけるカード用コネクタのシェルを取除いた状態を示す斜視図である。
【図９】本発明の第１の実施の形態におけるカード用コネクタの分解図である。
【図１０】本発明の第１の実施の形態におけるカード用アダプタの装填及び取出の動作を示す図であり、（ａ）はスライド部材が初期位置にあるとき、（ｂ）はスライド部材がロック位置手前所定距離にあるとき、（ｃ）はスライド部材がロック位置にあるとき、（ｄ）はスライド部材が最深位置にあるときを示している。
【図１１】本発明の第１の実施の形態におけるカム機構の動作を示す図であり、（ａ）はスライド部材が初期位置にあるとき、（ｂ）はスライド部材がロック位置手前所定距離にあるとき、（ｃ）はスライド部材がロック位置にあるとき、（ｄ）はスライド部材が最深位置にあるときを示している。
【図１２】本発明の第１の実施の形態における識別スイッチの動作を示す図であり図１０の断面図であり、（ａ）はスライド部材が初期位置にあるとき、（ｂ）はスライド部材がロック位置手前所定距離にあるとき、（ｃ）はスライド部材がロック位置にあるとき、（ｄ）はスライド部材が最深位置にあるときを示している。
【図１３】本発明の第１の実施の形態における第２カードの装填及び取出の動作を示す図であり、（ａ）はスライド部材がロック位置手前所定距離にあるとき、（ｂ）はスライド部材がロック位置にあるときを示している。
【図１４】本発明の第１の実施の形態における識別スイッチの動作を示す図であり図１３の断面図であり、（ａ）はスライド部材がロック位置手前所定距離にあるとき、（ｂ）はスライド部材がロック位置にあるときを示している。
【図１５】本発明の第２の実施の形態におけるカード用コネクタのシェルを取除いた状態を示す斜視図である。
【図１６】本発明の第２の実施の形態におけるカード用コネクタの分解図である。
【図１７】従来のカード用コネクタのカード検出スイッチを示す図である。
【符号の説明】
【０１０４】
１    カード用コネクタ
１１、１０９    ハウジング
１１ａ    底壁部
１１ｂ    奥壁部
１１ｃ    第１側壁部
１１ｄ    第２側壁部
１１ｅ    端子装填溝
１１ｆ    係止部
１１ｇ    ストッパ部
１１ｉ    接点部材収容凹部
１１ｊ    最奥壁部
１３    前方突起収容部
２１    スライド部材
２１ａ    カード保持部
２１ｂ    係合腕部
２１ｃ、１６１ａ    係合凸部
２１ｄ    被ガイド孔
２２    スライドカム部
２３    カム溝
２３ａ    初期凹部
２３ｂ    第１終端凹部
２３ｃ    ロック凹部
２３ｄ    第２終端凹部
５１    端子
５１ａ、５２ａ、５３ａ    基部
５１ｂ    先端部
５１ｃ    ソルダーテール部
５２    第１接点部材
５２ｂ、５３ｂ    腕部
５２ｃ、５３ｃ    当接部
５２ｄ、５３ｄ    取付部
５２ｅ、５３ｅ    テール部
５２ｆ    突起導入部
５３    第２接点部材
６１    シェル
６５    グランドプレート
７１    ピン部材
７１ａ    自由端
７１ｂ    固定端
７２    ガイド部材
８１    付勢部材
１０１    カード用アダプタ
１０１ａ、２０１ａ、３０１ａ    前端
１０１ｂ、２０１ｂ    後端
１０１ｃ、２０１ｃ    右側端
１０１ｄ、２０１ｄ、３０１ｄ    左側端
１０２    カード収容空間
１０３    前方突起
１０８、２１２、３０８    凹部
１１０    下板
１１２    パッド対応開口部
１２０    上板
１３０    内部基板
１３０ａ、２１７    第１面
２１８    第２面
１３３    配線
１３６    アダプタ側コンタクトパッド
１４０    内部端子ユニット
１４１    モールド部
１５０    アダプタ内カード接続端子
１６１    カードロック金具
２０１    第１カード
２１３    前方切欠部
２５１    カード側コンタクトパッド
３０１    第２カード
８５２    第１のスイッチ部材
８５２ｃ、８５３ｃ    接触部
８５２ｆ    押圧部
８５３    第２のスイッチ部材
【図１】
0004964800.tif 000002
【図２】
0004964800.tif 000003
【図３】
0004964800.tif 000004
【図４】
0004964800.tif 000005
【図５】
0004964800.tif 000006
【図６】
0004964800.tif 000007
【図７】
0004964800.tif 000008
【図８】
0004964800.tif 000009
【図９】
0004964800.tif 000010
【図１０】
0004964800.tif 000011
【図１１】
0004964800.tif 000012
【図１２】
0004964800.tif 000013
【図１３】
0004964800.tif 000014
【図１４】
0004964800.tif 000015
【図１５】
0004964800.tif 000016
【図１６】
0004964800.tif 000017
【図１７】
0004964800.tif 000018